(57)【要約】      （修正有）【課題】胴膨れの影響を減らすことができる上に製造が簡易で安価なフレキシブルコンテナを提供する。【解決手段】内容物を収容する本体部２と、内容物が投入される筒状投入部３とを備える角型のフレキシブルコンテナ１であって、本体部は、角筒状の胴部１０と、胴部の一端側の開口をふさぐ方形状の上面部１１と、胴部の他端側の開口をふさぐ方形状の底面部１２と、を有し、筒状投入部は、上面部の中央部に形成された開口部に連通するように配置され、胴部は、一端側と他端側に対して中央部分がくびれている。胴部は、同一形状の四枚の基布を無端状に縫合して形成されており、基布同士のつなぎ目は、上面部と底面部の対向する辺の中央同士を結ぶ直線に沿って形成されており、つなぎ目のうち、胴部のくびれが最も細い部分には、胴膨れを抑制する補強部材が設置されているのが好ましい。【選択図】図１
0003193839.tif 000002
【実用新案登録請求の範囲】
【請求項１】
内容物を収容する本体部と、前記内容物が投入される筒状投入部とを備える角型のフレキシブルコンテナであって、
前記本体部は、
角筒状の胴部と、
前記胴部の一端側の開口をふさぐ方形状の上面部と、
前記胴部の他端側の開口をふさぐ方形状の底面部と、を有し、
前記筒状投入部は、
前記上面部の中央部に形成された開口部に連通するように配置されており、
前記胴部は、一端側および他端側に対して中央部分がくびれている、
ことを特徴とするフレキシブルコンテナ。
【請求項２】
前記胴部は、同一形状の四枚の基布を無端状に縫合することにより形成されており、
前記基布は、上縁および下縁に対して中央部分がくびれている、
ことを特徴とする請求項１に記載のフレキシブルコンテナ。
【請求項３】
前記基布同士のつなぎ目は、前記上面部および前記底面部の対向する辺の中央同士を結ぶ直線に沿って形成されており、
前記つなぎ目のうち、少なくとも前記胴部のくびれが最も細い部分には、胴膨れを抑制する補強部材が設置されている、
ことを特徴とする請求項２に記載のフレキシブルコンテナ。
【請求項４】
前記本体部には、逆Ｕ字状の吊りベルトが縫合されており、
前記補強部材は、前記吊りベルトと同じ素材である、
ことを特徴とする請求項３に記載のフレキシブルコンテナ。
【考案の詳細な説明】
【技術分野】
【０００１】
本考案は、フレキシブルコンテナに関する。
【背景技術】
【０００２】
各種原材料等の粉粒体、穀類、野菜類、培土等を輸送、貯蔵する際に、フレキシブルコンテナが使用される。フレキシブルコンテナとしては、全体形状が円柱形状のものと四角柱状のものとが一般的に知られている。全体形状を四角柱状としたフレキシブルコンテナ（以下、「角型フレキシブルコンテナ」と呼ぶ場合がある）を並べて配置する場合は、隣接する角型フレキシブルコンテナとの間に隙間が生じにくい。その為、角型フレキシブルコンテナを使用すると、空間を効率的に利用することが期待できる。
【０００３】
ところが、フレキシブルコンテナは、使用しないときに折り畳めるように撓みやすい素材で形成されているため、圧力を受けることで容易に変形する。例えば、角型フレキシブルコンテナに内容物が充填されたり、上部から加重が加わった場合に、図９に示すように、側面の中央部分が外向きの圧力Ｆを受ける。このような場合、角型フレキシブルコンテナは、全体的に丸みをおびてしまい、四角柱状を保つことが難しくなる（図９参照）。以下では、フレキシブルコンテナが全体的に丸みをおびて膨れる現象を「胴膨れ」と呼ぶことにする。したがって、実際には、角型フレキシブルコンテナを並べて配置する場合に、隣接する角型フレキシブルコンテナとの間に大きな隙間が発生し、空間を効率的に利用することが出来ていない。
【０００４】
このような現象に対応可能なものとして、胴膨れを抑制する角型フレキシブルコンテナが知られている（特許文献１参照）。このフレキシブルコンテナでは、コンテナ本体の４つの角部のそれぞれに、角部をまたぐように逆Ｕ字状の吊りベルトを設け、隣り合う吊りベルト同士をコンテナ本体の側面の中心付近で連結することで、胴膨れを抑制している。
【先行技術文献】
【特許文献】
【０００５】
【特許文献１】特開２００９−２７４７２８号公報（段落００１９〜００３６、図１）
【考案の概要】
【考案が解決しようとする課題】
【０００６】
しかし、特許文献１に記載されたフレキシブルコンテナは、４本の吊りベルトを有するので、２本の吊りベルトを有するフレキシブルコンテナに比べて製造コストが高くなるという問題があった。また、特許文献１に記載されたフレキシブルコンテナを製造する際には、吊りベルト同士を連結する工程が必要となるため、製造工程が複雑であるという問題があった。
【０００７】
本考案は、前記問題に鑑みてなされたものであり、胴膨れの影響を減らすことができる上に製造が簡易で安価なフレキシブルコンテナを提供することを課題とする。
【課題を解決するための手段】
【０００８】
前記課題を解決するため、本考案に係るフレキシブルコンテナは、内容物を収容する本体部と、前記内容物が投入される筒状投入部とを備える。
前記本体部は、角筒状の胴部と、前記胴部の一端側の開口をふさぐ方形状の上面部と、前記胴部の他端側の開口をふさぐ方形状の底面部と、を有する。
前記筒状投入部は、前記上面部の中央部に形成された開口部に連通するように配置されている。前記胴部は、一端側および他端側に対して中央部分がくびれている。
【０００９】
本考案に係るフレキシブルコンテナにおいては、胴部の中央部分がくびれているので、内容物が投入されていない状態では、胴部の側面中央部分が、上面部および底面部の周縁よりも内側に位置する。したがって、内容物が投入されることによりフレキシブルコンテナの側面に外向きの圧力がかかって胴膨れが発生しても、くびれ量で胴膨れ量を相殺することができる。その為、このフレキシブルコンテナは、内容物を収容した後においても全体形状を略四角柱状に保つことが可能であり、ひいては、空間を効率的に使用することができる。
【００１０】
前記胴部は、同一形状の四枚の基布を無端状に縫合することにより形成されており、前記基布は、上縁および下縁に対して中央部分がくびれていることが望ましい。
【００１１】
上記のようにすると、従来の角型のフレキシブルコンテナを製造する場合と同様に、基布を縫製することで胴部を製造できる。その為、従来の製造工程を大幅に変更することなく、本考案に係るフレキシブルコンテナを製造することが可能である。
【００１２】
前記基布同士のつなぎ目は、前記上面部および前記底面部の対向する辺の中央同士を結ぶ直線に沿って形成されており、前記つなぎ目のうち、少なくとも前記胴部のくびれが最も細い部分には、胴膨れを抑制する補強部材が設置されていることが望ましい。
【００１３】
上記のようにすると、くびれが最も細い部分の強度を高めることができるので、この部分に加重が集中した場合でも、胴膨れ量を抑制することができる。したがって、このフレキシブルコンテナによれば、全体形状を四角柱状により近付けることが可能であり、ひいては、空間をより効率的に使用することができる。
【００１４】
前記本体部には、逆Ｕ字状の吊りベルトが縫合されており、前記補強部材は、前記吊りベルトと同じ素材であってもよい。
【００１５】
上記のようにすると、吊りベルトと同じ素材を補強部材に用いることができる。その為、補強部材として新たな素材を用意する必要がない。
【考案の効果】
【００１６】
本考案によれば、胴膨れの影響を減らすことができる上に製造が簡易で安価である。
【図面の簡単な説明】
【００１７】
【図１】本考案の実施形態に係るフレキシブルコンテナの外観斜視図である。
【図２】本考案の実施形態に係るフレキシブルコンテナの左側面図（一部断面）である。
【図３】本考案の実施形態に係るフレキシブルコンテナのＩ−Ｉ断面図である。
【図４】本考案の実施形態に係るフレキシブルコンテナの平面図であり、（ａ）は投入口を開放した状態を示す、（ｂ）は投入口を封鎖した状態を示す。
【図５】本考案の実施形態に係るフレキシブルコンテナの底面図である。
【図６】フレキシブルコンテナを構成する本体部の分解図である。
【図７】本考案の実施形態に係るフレキシブルコンテナの封鎖方法を説明するための図であり、（ａ）は第１工程を示し、（ｂ）は第２工程を示し、（ｃ）は第３工程を示すものである。
【図８】本考案の実施形態に係るフレキシブルコンテナの効果を説明するための図である。
【図９】従来におけるフレキシブルコンテナの胴膨れを説明するための図である。
【考案を実施するための形態】
【００１８】
以下、本考案の実施をするための形態を、適宜図面を参照しながら詳細に説明する。
各図は、本考案を十分に理解できる程度に、概略的に示してあるに過ぎない。よって、本考案は、図示例のみに限定されるものではない。また、参照する図面において、本考案を構成する部材の寸法は、説明を明確にするために誇張して表現されている場合がある。なお、各図において、共通する構成要素や同様な構成要素については、同一の符号を付し、それらの重複する説明を省略する。
【００１９】
≪実施形態に係るフレキシブルコンテナの構成≫
図１に示すフレキシブルコンテナ１は、各種原材料等の粉粒体、穀類、野菜類、培土等（以下では、「内容物」）を内部に収容するものであり、内容物の輸送や貯蔵に用いられる。フレキシブルコンテナ１は、その高さ方向の中央部分をくびれさせた形状の本体部２と、本体部の上部に形成される筒状の投入部３と、本体部２を吊り下げるために用いられる一対の吊りベルト４とを備えて構成されている。本体部２、投入部３、および吊りベルト４は、柔軟性のある材料からなり、使用しないときにはフレキシブルコンテナ１を折り畳むことができる。
【００２０】
＜本体部＞
本体部２は、内部に一定の空間を有し、投入部３から投入された内容物を収容することが可能である。本体部２は、図２に示すように水平方向の断面形状を矩形とする略鼓型をなす。本体部２は、例えば、ポリエチレン製の縦糸（経糸）と横糸（緯糸）とを交互に上下に交差させた基布（平織）を縫製することによって形成される。１インチ幅あたりの縦糸、横糸の本数は、使用される条件などにもよるが、例えば、１５本程度にするのがよい。本体部２は、角筒状をなす胴部１０と、胴部１０の上端に形成された上面部１１と、胴部１０の下端に形成された底面部１２とからなる。
【００２１】
胴部１０は、図２にも示すように、中央部分が内側にくびれている。以下では、胴部１０のくびれが最も大きい（最も細い）部分を最細部１０ｋと呼び、その最細部１０ｋにおけるくびれ量をＫで表すことにする。胴部１０の最細部１０ｋは、内容物を収容した場合に圧力が集中し、外側に膨れることになる（胴膨れ状態）。図２では、胴膨れした状態を仮想線で示している。くびれ量Ｋは、胴膨れした状態において、最細部１０ｋの位置が上面部１１の周縁１１ｋおよび底面部１２の周縁１２ｋに対して外側にならないように決定される。最細部１０ｋの位置やくびれ量Ｋは、試験等を通じて適宜調整するのがよい。
【００２２】
胴部１０は、図３に示すように、基布Ｓ３〜Ｓ６を縫合することにより形成したものであり、前後左右の側壁１０ｆ，１０ｂ，１０ｌ，１０ｒを備えている。左側壁１０ｌは、基布Ｓ３の半分とＳ４の半分とで形成されており、基布Ｓ３と基布Ｓ４とは縫合部１３ｌで縫合されている。後側壁１０ｂは、基布Ｓ４の半分とＳ５の半分とで形成されており、基布Ｓ４と基布Ｓ５とは縫合部１３ｂで縫合されている。右側壁１０ｒは、基布Ｓ５の半分とＳ６の半分とで形成されており、基布Ｓ５と基布Ｓ６とは縫合部１３ｒで縫合されている。前側壁１０ｆは、基布Ｓ６の半分とＳ３の半分とで形成されており、基布Ｓ６と基布Ｓ３とは縫合部１３ｆで縫合されている。
【００２３】
縫合部１３ｌ，１３ｂ，１３ｒ，１３ｆは、図３に示すように、胴部１０の周縁において等間隔に位置しており、上面部１１と底面部１２とを結ぶように上下方向に線状に形成いる。言い換えれば、縫合部１３ｌと縫合部１３ｒとは対向して形成されており、縫合部１３ｆと縫合部１３ｂとは対向して形成されている。縫合部１３ｌ，１３ｂ，１３ｒ，１３ｆの外側には、補強部材１４ｌ，１４ｂ，１４ｒ，１４ｆが縫合される。補強部材１４は、胴膨れを抑制するためのものであり、ここでは、長方形状をなしている。補強部材１４ｌ，１４ｂ，１４ｒ，１４ｆは、胴膨れ量を効率よく抑制するように配置されるのがよい。
【００２４】
ここでは、図２に示すように、縫合部１３ｌ，１３ｂ，１３ｒ，１３ｆの長手方向を上下方向として、最細部１０ｋを中心に上下均等に配置されている（縦向き）。しかし、配置の仕方はこれに限らず、例えば、縫合部１３ｌ，１３ｂ，１３ｒ，１３ｆの長手方向を左右方向として配置されてもよい（横向き）。また、補強部材１４の材料は、種々のものを選択することができ、吊りベルト４と同じ材料を用いてもよい。補強部材１４の材料として吊りベルト４と同じ素材を用いた場合には、補強部材１４を形成するために新たな素材を用意する必要がないので好適である。
【００２５】
上面部１１は、本体部２（図２参照）の天井部分の機能を果たすものである。上面部１１は、図４に示すように、方形状をなす。上面部１１の周縁１１ｋは、胴部１０の上端に縫合されている。上面部１１の中央部分には、投入部３を取り囲むように４個の外蓋１１ａ，１１ａ，・・・が形成されている。外蓋１１ａは、折り畳んだ投入部３を覆うものである。外蓋１１ａは、上面部１１の中央部分に十字状の切れ込みをいれることにより形成されている。外蓋１１ａを上方に持ち上げると、上面部１１の中央部分に開口部が出現する。
【００２６】
各外蓋１１ａは、台形形状をなす。外蓋１１ａの上部（台形の上辺）には、結束ロープ１１ｂが通る貫通部が形成されている。結束ロープ１１ｂを用いてすべての外蓋１１ａの上部を一ヶ所に集めることによって、外蓋１１ａは、閉じた状態となる（図４（ｂ）参照）。
【００２７】
また、図４（ａ）に示すように、ある一つの外蓋１１ａの内側には、内蓋１１ｃが形成されている。内蓋１１ｃは、外蓋１１ａの内側（下側）において、畳んだ状態の投入部３を覆うものである。内蓋１１ｃは、矩形状をなす。内蓋１１ｃの一辺は、外蓋１１ａの内側の底辺部分に縫合されている。内蓋１１ｃは、結束ロープ１１ｂを用いてすべての外蓋１１ａの上部を一ヶ所に集めたときに、隣り合う外蓋１１ａ間の隙間を埋める。
【００２８】
底面部１２は、本体部２（図２参照）の底部分の機能を果たすものである。底面部１２は、図５に示すように、上面部１１と同じ方形状をなす。底面部１２の四隅には、吊りベルト４の先端部分（下端部分）が縫合されている。
【００２９】
＜投入部＞
図２に示す投入部３は、内容物をフレキシブルコンテナ１の内部に投入する際に使用する。投入部３は、筒状をなし、上部に内容物が投入される投入口３ａを有する。また、投入部３の下部は、外蓋１１ａの内側の底辺部分（上面部１１の開口部の周縁）に縫合されている。つまり、投入部３は、上面部１１の開口部に連通するように配置される。投入部３は、全体を通して同一の径であってもよいし、上部側と下部側とで径が異なってもよい。投入部３の外周面には、投入口３ａを封止する封止紐３ｂが縫合されている。封止紐３ｂは、二本で一組をなす。封止紐３ｂは、投入部３を周回した状態で結ばれることで投入口３ａを封止する。
【００３０】
＜吊りベルト＞
図１に示す吊りベルト４は、フレキシブルコンテナ１を吊り下げるためのものであり、一対設けられている。吊りベルト４は、平たい紐状（帯状）を呈している。各吊りベルト４は、本体部２の側面上部の２箇所および底面部１２の隅の２箇所の合計４箇所で縫合により固定されている。吊りベルト４の本体部２の側面での固定には、補強部材４ａを用いられている。補強部材４ａの材料は、種々のものを選択することができ、例えば、本体部２と同じポリエチレン製の平織の布片であってよい。また、補強部材４ａの形状や配置の仕方は、特に限定されない。ここでは短辺が吊りベルト４よりも長い長方形状のものを、上面部１１の角部と底面部１２の角部とを結ぶラインを跨ぐように配置している。これにより、フレキシブルコンテナ１を吊り下げた場合に、本体部２が破れるのを防止している。
【００３１】
また、吊りベルト４の先端には、底ロープ４ｂ（図５参照）が通る貫通部が形成されている。底ロープ４ｂが吊りベルト４を連結することにより、フレキシブルコンテナ１を吊り下げた場合に、吊りベルト４の先端の特定の箇所に付加が集中するのを防止している。
以上で、実施形態に係るフレキシブルコンテナ１の構成についての説明を終了する。
【００３２】
≪実施形態に係るフレキシブルコンテナの製造方法≫
フレキシブルコンテナ１は、本体部２、投入部３、吊りベルト４を別々に作成し、それぞれを縫製することにより製造される。本体部２は、図６に示すように、六枚の基布Ｓ１〜Ｓ６を縫製することで形成される。図６では、本体部２が完成した場合における外面側が見えるように配置されている。なお、図６の説明においては、図面における実際の上下左右を方向の基準とする。
【００３３】
基布Ｓ１は、本体部２の上面部１１になるものである。以下では、基布Ｓ１を他の基布Ｓ２〜Ｓ６と区別するために「上面部用基布Ｓ１」と呼ぶ場合がある。上面部用基布Ｓ１は、方形をなし、中央部分に外蓋１１ａを形成するための十字状の切れ込みを入れられている。
基布Ｓ２は、本体部２の底面部１２になるものである。以下では、基布Ｓ２を他の基布Ｓ１，Ｓ３〜Ｓ６と区別するために「底面部用基布Ｓ２」と呼ぶ場合がある。底面部用基布Ｓ２は、上面部用基布Ｓ１と同じ形状の方形をなす。
【００３４】
基布Ｓ３〜Ｓ６は、本体部２の胴部１０になるものである。以下では、基布Ｓ３〜Ｓ６を他の基布Ｓ１，Ｓ２と区別するために「胴部用基布Ｓ３〜Ｓ６」と呼ぶ場合がある。胴部用基布Ｓ３〜Ｓ６の形状は、すべて同じであり、同形状の二つの台形の上底同士を突き合わせた形状をなしている。言い換えると、胴部用基布Ｓ３〜Ｓ６の形状は、長方形の長辺の中央部分を内側に対称的にへこませた（中央部分の幅を狭めた）中央幅狭形状である。ここでは、胴部用基布Ｓ３〜Ｓ６の長手方向の寸法が「１０００ｍｍ」であり、短手方向の寸法が「３９０ｍｍ」であり、中央部分のへこみ量が「５０ｍｍ」である場合を例示している。しかしながら、寸法はこれに限定されるものではなく、完成後の胴部１０の形状に即して決定される。
【００３５】
基布Ｓ１〜Ｓ６の縫製について説明する。最初に、胴部用基布Ｓ３〜Ｓ６をへこみが形成された辺同士において互いに縫合する。具体的には、胴部用基布Ｓ３の右辺Ｌ３１を胴部用基布Ｓ４の左辺Ｌ４２に縫合する。また、胴部用基布Ｓ４の右辺Ｌ４１を胴部用基布Ｓ５の左辺Ｌ５２に縫合する。また、胴部用基布Ｓ５の右辺Ｌ５１を胴部用基布Ｓ６の左辺Ｌ６２に縫合する。また、胴部用基布Ｓ６の右辺Ｌ６１を胴部用基布Ｓ３の左辺Ｌ３２に縫合する。これにより、胴部用基布Ｓ３〜Ｓ６は、無端状に連結され、胴部１０が形成される。
【００３６】
続いて、無端状に連結された状態の胴部用基布Ｓ３〜Ｓ６の一端縁（上端縁）を、上面部用基布Ｓ１の周縁に環状に縫合する。具体的には、胴部用基布Ｓ３の上辺Ｌ３３を、上面部用基布Ｓ１の下辺右側から右辺下側にまたがる領域Ｍ１１（上面部用基布Ｓ１の第１の角部を跨ぐ領域）に縫合する。また、胴部用基布Ｓ４の上辺Ｌ４３を、上面部用基布Ｓ１の右辺上側から上辺右側にまたがる領域Ｍ１２（上面部用基布Ｓ１の第２の角部を跨ぐ領域）に縫合する。また、胴部用基布Ｓ５の上辺Ｌ５３を、上面部用基布Ｓ１の上辺左側から左辺上側にまたがる領域Ｍ１３（上面部用基布Ｓ１の第３の角部を跨ぐ領域）に縫合する。また、胴部用基布Ｓ６の上辺Ｌ６３を、上面部用基布Ｓ１の左辺下側から下辺左側にまたがる領域Ｍ１４（上面部用基布Ｓ１の第４の角部を跨ぐ領域）に縫合する。これにより、胴部１０の一端側（上端側）の開口がふさがれる。
【００３７】
続いて、無端状に連結された状態の胴部用基布Ｓ３〜Ｓ６の他端縁（下端縁）を、底面部用基布Ｓ２の周縁に環状に縫合する。具体的には、胴部用基布Ｓ３の下辺Ｌ３４を、底面部用基布Ｓ２の上辺右側から右辺上側にまたがる領域Ｍ２１（底面部用基布Ｓ２の第１の角部を跨ぐ領域）に縫合する。また、胴部用基布Ｓ４の下辺Ｌ４４を、底面部用基布Ｓ２の右辺下側から下辺右側にまたがる領域Ｍ２２（底面部用基布Ｓ２の第２の角部を跨ぐ領域）に縫合する。また、胴部用基布Ｓ５の下辺Ｌ５４を、底面部用基布Ｓ２の下辺左側から左辺下側にまたがる領域Ｍ２３（底面部用基布Ｓ２の第３の角部を跨ぐ領域）に縫合する。また、胴部用基布Ｓ６の下辺Ｌ６４を、底面部用基布Ｓ２の左辺上側から上辺左側にまたがる領域Ｍ２４（底面部用基布Ｓ２の第４の角部を跨ぐ領域）に縫合する。これにより、胴部１０の他端側（下端側）の開口がふさがれる。
【００３８】
このようにして基布Ｓ１〜Ｓ６が縫製されることで、図１に示す本体部２が完成する。そして、完成した本体部２の外蓋１１ａの内側の底辺部分に投入部３を縫合し、また、本体部２の側面および底面に吊りベルト４を縫合する。これによって、本実施形態に係るフレキシブルコンテナ１が完成する。
以上で、実施形態に係るフレキシブルコンテナ１の製造方法についての説明を終了する。
【００３９】
≪実施形態に係るフレキシブルコンテナの使用方法≫
＜投入方法＞
一対の吊りベルト４，４を支持してフレキシブルコンテナ１を吊り下げた状態で、投入部２から内容物の投入を開始する。本体部２に所定量の内容物が投入されたら、内容物の投入を終了し、封止紐３ｂを用いて投入口３ａを封止する（図７（ａ）参照）。続いて、閉じられた投入部３の上部に内蓋１１ｃを覆いかぶせる（図７（ｂ）参照）。そして、結束ロープ１１ｂを用いてすべての外蓋１１ａの上部を一ヶ所に集める（図７（ｃ）参照）。これにより、フレキシブルコンテナ１への内容物の収容が完了する。
【００４０】
＜排出方法＞
投入方法とは逆の手順で投入部３を開放する。これにより、内容物をフレキシブルコンテナ１の外部に排出することができる。
以上で、実施形態に係るフレキシブルコンテナ１の使用方法についての説明を終了する。
【００４１】
以上のように、本実施形態に係るフレキシブルコンテナ１は、胴部１０の中央部分がくびれている。すなわち、内容物が投入されていない状態では、胴膨れが発生する胴部１０の側面中央部分が、上面部１１の周縁１１ｋおよび底面部１２の周縁１２ｋよりも内側に位置する。したがって、図８に示すように、内容物が投入されることによりフレキシブルコンテナ１の側面に外向きの圧力Ｆがかかって胴膨れが発生しても、くびれ量で胴膨れ量を相殺することができる。その為、このフレキシブルコンテナ１は、内容物を収容した後においても全体形状を略四角柱状に保つことが可能であり、ひいては、空間を効率的に使用することができる。
【００４２】
［変形例］
以上、本考案の実施形態について説明したが、本考案はこれに限定されるものではなく、実用新案登録請求の範囲の趣旨を変えない範囲で実施することができる。実施形態の変形例を以下に示す。
【００４３】
本実施形態に係るフレキシブルコンテナ１の本体部２は、図６に示すように、六枚の基布Ｓ１〜Ｓ６を縫製することで形成されていた。しかしながら、本体部２の構成はこれに限定されず、例えば、単数または六枚以外の基布を用いて形成されていてもよい。単数の基布を用いて形成する場合には、胴部１０の中央部分を縫合して最細部１０ｋを形成してもよい。
【００４４】
また、本実施形態に係るフレキシブルコンテナ１の投入部３は、図１に示すように、円筒状をなしていた。しかしながら、投入部３の形状はこれに限定されず角筒状であってもよく、また、投入部３の代わりに上面部１１が開閉する構造であってもよい。
また、本体部２の下部に排出部（図示せず）を備える構造であってもよい。排出部は、投入部３と同様の構造であってもよいし、異なる構造にすることもできる。
【００４５】
また、本実施形態に係るフレキシブルコンテナ１の吊りベルト４は、図１に示すように、本体部２の側面上部の２箇所および底面部１２の隅の２箇所の合計４箇所で縫合により固定されていた。しかしながら、吊りベルト４の固定方法はこれに限定されず、例えば、本体部２の側面上部の２箇所のみで固定してもよいし、底面部１２から上面部１１にかけて縫合されていてもよい。
【符号の説明】
【００４６】
１      フレキシブルコンテナ
２      本体部
３      投入部
３ａ    投入口
３ｂ    封止紐
４      吊りベルト
４ａ    補強部材
４ｂ    底ロープ
１０    胴部
１０ｆ，１０ｂ，１０ｌ，１０ｒ  側壁
１０ｋ  最細部
１１    上面部
１１ａ  外蓋
１１ｂ  結束ロープ
１１ｃ  内蓋
１１ｋ  周縁
１２    底面部
１２ｋ  周縁
１３ｆ，１３ｂ，１３ｌ，１３ｒ  縫合部
１４ｆ，１４ｂ，１４ｌ，１４ｒ  補強部材
Ｓ１〜Ｓ６  基布
Ｋ      くびれ量
【図１】
0003193839.tif 000003
【図２】
0003193839.tif 000004
【図３】
0003193839.tif 000005
【図４】
0003193839.tif 000006
【図５】
0003193839.tif 000007
【図６】
0003193839.tif 000008
【図７】
0003193839.tif 000009
【図８】
0003193839.tif 000010
【図９】
0003193839.tif 000011